(57)【特許請求の範囲】
【請求項１】
空気吸込口と空気吹出口を有する本体ケースと、
圧縮機と放熱器と膨張器と吸熱器とを順に連結した冷凍サイクルにより前記本体ケース内の空気を除湿する除湿手段と、
前記空気吸込口から吸い込んだ本体ケース外の空気を前記除湿手段を通過させた後に前記空気吹出口から本体ケース外に吹き出す送風機とを備え、
前記除湿手段は、
前記送風機によって空気吸込口から本体ケース内に吸い込んだ空気の一部分Ａを、前記吸熱器、第１通路、前記放熱器を介して前記空気吹出口から前記本体ケース外に吹き出す第１除湿経路と、
前記送風機によって前記空気吸込口から吸い込んだ空気の他の部分Ｂを、第２通路、前記放熱器を介して前記空気吹出口から前記本体ケース外に吹き出す第２除湿経路と、
前記第１通路を流れる空気と前記第２通路を流れる空気との間で熱交換する熱交換器とを備え、
前記熱交換器は、薄板状の伝熱板を所定の間隔で複数枚積層し、前記伝熱板の積層間隙に室内空気と吸熱器出口空気を交互に流して前記第１通路と前記第２通路を形成し、前記伝熱板と一体形成した複数の間隔リブによって伝熱板の積層間隔を保持し、前記間隔リブにより風路の風速分布を均一化し、前記熱交換器の底部を水平面より下方へ傾斜させた傾斜面を有し、前記傾斜面の最下部に水平面を設けることを特徴とする除湿装置。
【請求項２】
空気吸込口と空気吹出口を有する本体ケースと、
圧縮機と放熱器と膨張器と吸熱器とを順に連結した冷凍サイクルにより前記本体ケース内の空気を除湿する除湿手段と、
前記空気吸込口から吸い込んだ本体ケース外の空気を前記除湿手段を通過させた後に前記空気吹出口から本体ケース外に吹き出す送風機とを備え、
前記除湿手段は、
前記送風機によって空気吸込口から本体ケース内に吸い込んだ空気の一部分Ａを、前記吸熱器、第１通路、前記放熱器を介して前記空気吹出口から前記本体ケース外に吹き出す第１除湿経路と、
前記送風機によって前記空気吸込口から吸い込んだ空気の他の部分Ｂを、第２通路、前記放熱器を介して前記空気吹出口から前記本体ケース外に吹き出す第２除湿経路と、
前記第１通路を流れる空気と前記第２通路を流れる空気との間で熱交換する熱交換器とを備え、
前記熱交換器は、薄板状の伝熱板を所定の間隔で複数枚積層し、前記伝熱板の積層間隙に室内空気と吸熱器出口空気を交互に流して前記第１通路と前記第２通路を形成し、前記伝熱板と一体形成した複数の間隔リブによって伝熱板の積層間隔を保持し、前記間隔リブにより風路の風速分布を均一化し、前記熱交換器の底部を水平面より下方へ傾斜させた傾斜面を有し、前記第２通路を形成する上下方向に並んだ複数の前記間隔リブの設置ピッチを下方になるにしたがって広げ、前記傾斜面の最下部に水平面を設けることを特徴とする除湿装置。
【発明の詳細な説明】
【技術分野】
【０００１】
本発明は、居住空間などに用いられる除湿装置に関するものである。
【背景技術】
【０００２】
居住空間の湿度を低下させ、快適性を増すものとして除湿装置が実用化されている。
【０００３】
その構成としては、空気吸込口と空気吹出口を有する本体ケースと、この本体ケース内に設けられた除湿手段と、前記空気吸込口から吸い込んだ本体ケース外の空気を、前記除湿手段を通過させた後に、前記空気吹出口から本体ケース外に吹き出す送風機とを備えたものとなっている。
【０００４】
また、前記除湿手段は、圧縮機と放熱器と膨張器と吸熱器とを順次環状に連結した冷凍サイクルにより構成し、前記送風機によって空気吸込口から本体ケース内に吸い込んだ空気の一部分は、前記吸熱器、熱交換器の第１通路、放熱器を介して空気吹出口から本体ケース外に吹き出す構成とし、前記送風機によって空気吸込口から吸い込んだ空気の他の部分は、前記熱交換器の第２通路、放熱器を介して空気吹出口から本体ケース外に吹き出す構成となっている（例えば下記特許文献１）。
【先行技術文献】
【特許文献】
【０００５】
【特許文献１】実開昭５６−２０６２８号公報
【発明の概要】
【発明が解決しようとする課題】
【０００６】
上記従来例では、送風機によって空気吸込口から本体ケース内に吸い込んだ空気の一部分は、前記吸熱器で冷却させて結露させ、その後、熱交換器の第１通路、放熱器を介して空気吹出口から本体ケース外に吹き出す構成となっている。
【０００７】
また、前記送風機によって空気吸込口から吸い込んだ空気の他の部分は、前記熱交換器の第２通路を通過させ、放熱器を介して空気吹出口から本体ケース外に吹き出す構成となっている。
【０００８】
つまり、前記熱交換器の第２通路を通過する室内空気を、前記吸熱器から前記熱交換器の第１通路に流れる空気によって冷却し、ここでも結露させようとしている。
【０００９】
しかしながら、上記構成においては、熱交換器の第１通路を通過する空気の風速分布に偏りができてしまうという課題がある。そして、風速分布に偏りができてしまった場合には、熱交換器での熱交換効率が低下し、交換熱量が低下してしまい、熱交換器での第２通路の冷却が進まず、空気中の水分の凝縮が促進されず、結露量が少なくなり、除湿効率が低くなるという課題があった。
【００１０】
そこで、本発明は、除湿効果を高めた除湿装置を提供することを目的とするものである。
【課題を解決するための手段】
【００１１】
そして、本発明に係る除湿装置は、空気吸込口と空気吹出口を有する本体ケースと、圧縮機と放熱器と膨張器と吸熱器とを順に連結した冷凍サイクルにより前記本体ケース内の空気を除湿する除湿手段と、前記空気吸込口から吸い込んだ本体ケース外の空気を前記除湿手段を通過させた後に前記空気吹出口から本体ケース外に吹き出す送風機とを備え、前記除湿手段は、前記送風機によって空気吸込口から本体ケース内に吸い込んだ空気の一部分Ａを、前記吸熱器、第１通路、前記放熱器を介して前記空気吹出口から前記本体ケース外に吹き出す第１除湿経路と、前記送風機によって前記空気吸込口から吸い込んだ空気の他の部分Ｂを、第２通路、前記放熱器を介して前記空気吹出口から前記本体ケース外に吹き出す第２除湿経路と、前記第１通路を流れる空気と前記第２通路を流れる空気との間で熱交換する熱交換器とを備え前記熱交換器は、薄板状の伝熱板を所定の間隔で複数枚積層し、前記伝熱板の積層間隙に室内空気と吸熱器出口空気を交互に流して前記第１通路と前記第２通路を形成し、前記伝熱板と一体形成した複数の間隔リブによって伝熱板の積層間隔を保持し、前記間隔リブにより風路の風速分布を均一化し、前記熱交換器の底部を水平面より下方へ傾斜させた傾斜面を有し、前記傾斜面の最下部に水平面を設けるものであり、これにより所期の目的を達成するものである。
【発明の効果】
【００１２】
以上により、間隔リブが風速均一の作用を有することにより、熱交換器での熱交換効率を高め、水分凝縮を促進することから、除湿効率を向上することができ、また、第１除湿経路において吸熱器から熱交換器に流入してきた空気は、水平面があることで、まず水平方向に進んでから、傾斜面に沿って傾斜方向に向きを変えながら流出していくことになり、風向の急激な変化が少なくなり、熱交換器の第１通路の最下方の通路での通風抵抗の増加を抑えることができ、風速分布が偏ることを抑え、分布の均一化をすることができ熱交換効率を向上でき、除湿能力を向上することができる。
【図面の簡単な説明】
【００１３】
【図１】本発明の実施の形態にかかる除湿装置の斜視図
【図２】本発明の実施の形態にかかる除湿装置のＡ−Ａ断面図
【図３】本発明の実施の形態にかかる除湿装置の吸熱器周辺の構成および風路の斜視図
【図４】本発明の実施の形態にかかる除湿装置の熱交換器の分解斜視図
【図５】本発明の実施の形態にかかる除湿装置の空気吸込口周辺の気流を示す上方図
【図６】本発明の実施の形態にかかる除湿装置の熱交換器周辺の分解斜視図
【図７】本発明の実施の形態にかかる除湿装置の吸熱器、熱交換器、放熱器周辺の構成図
【図８】本発明の実施の形態にかかる除湿装置のＢ−Ｂ断面図
【発明を実施するための形態】
【００１４】
本発明の実施の形態に係る除湿装置は、空気吸込口と空気吹出口を有する本体ケースと、圧縮機と放熱器と膨張器と吸熱器とを順に連結した冷凍サイクルにより前記本体ケース内の空気を除湿する除湿手段と、前記空気吸込口から吸い込んだ本体ケース外の空気を前記除湿手段を通過させた後に前記空気吹出口から本体ケース外に吹き出す送風機とを備え、前記除湿手段は、前記送風機によって空気吸込口から本体ケース内に吸い込んだ空気の一部分Ａを、前記吸熱器、第１通路、前記放熱器を介して前記空気吹出口から前記本体ケース外に吹き出す第１除湿経路と、前記送風機によって前記空気吸込口から吸い込んだ空気の他の部分Ｂを、第２通路、前記放熱器を介して前記空気吹出口から前記本体ケース外に吹き出す第２除湿経路と、前記第１通路を流れる空気と前記第２通路を流れる空気との間で熱交換する熱交換器とを備え、前記熱交換器は、薄板状の伝熱板を所定の間隔で複数枚積層し、前記伝熱板の積層間隙に室内空気と吸熱器出口空気を交互に流して前記第１通路と前記第２通路を形成し、前記伝熱板と一体形成した複数の間隔リブによって伝熱板の積層間隔を保持し、前記間隔リブにより風路の風速分布を均一化し、前記熱交換器の底部を水平面より下方へ傾斜させた傾斜面を有し、前記傾斜面の最下部に水平面を設けるものである。
【００１５】
これにより、間隔リブが風速均一の作用を有することにより、熱交換器での熱交換効率を高め、水分凝縮を促進することから、除湿効率を向上することができ、また、第１除湿経路において吸熱器から熱交換器に流入してきた空気は、水平面があることで、まず水平方向に進んでから、傾斜面に沿って傾斜方向に向きを変えながら流出していくことになり、風向の急激な変化が少なくなり、熱交換器の第１通路の最下方の通路での通風抵抗の増加を抑えることができ、風速分布が偏ることを抑え、分布の均一化をすることができ熱交換効率を向上でき、除湿能力を向上することができる。
【００１６】
また、本発明の実施の形態に係る除湿装置は、空気吸込口と空気吹出口を有する本体ケースと、圧縮機と放熱器と膨張器と吸熱器とを順に連結した冷凍サイクルにより前記本体ケース内の空気を除湿する除湿手段と、前記空気吸込口から吸い込んだ本体ケース外の空気を前記除湿手段を通過させた後に前記空気吹出口から本体ケース外に吹き出す送風機とを備え、前記除湿手段は、前記送風機によって空気吸込口から本体ケース内に吸い込んだ空気の一部分Ａを、前記吸熱器、第１通路、前記放熱器を介して前記空気吹出口から前記本体ケース外に吹き出す第１除湿経路と、前記送風機によって前記空気吸込口から吸い込んだ空気の他の部分Ｂを、第２通路、前記放熱器を介して前記空気吹出口から前記本体ケース外に吹き出す第２除湿経路と、前記第１通路を流れる空気と前記第２通路を流れる空気との間で熱交換する熱交換器とを備え、前記熱交換器は、薄板状の伝熱板を所定の間隔で複数枚積層し、前記伝熱板の積層間隙に室内空気と吸熱器出口空気を交互に流して前記第１通路と前記第２通路を形成し、前記伝熱板と一体形成した複数の間隔リブによって伝熱板の積層間隔を保持し、前記間隔リブにより風路の風速分布を均一化し、前記熱交換器の底部を水平面より下方へ傾斜させた傾斜面を有し、前記第２通路を形成する上下方向に並んだ複数の間隔リブの設置ピッチを下方になるにしたがって広げげ、前記傾斜面の最下部に水平面を設けたものである。
【００１７】
熱交換器の第２通路に結露した水滴が底面でブリッジして風路抵抗となら無いように熱交換器底面に傾斜面を設けた場合、傾斜面があることにより、第１通路では、熱交換器の下方に行くほど、熱交換器内部の風路長が長くなり抵抗が増えることになるので、下方に行くほど間隔リブの設置ピッチを広げることにより、風路幅を広げ、風速分布を均一化することができ、熱交換効率を向上でき、除湿能力を向上することができ、また、第１除湿経路において吸熱器から熱交換器に流入してきた空気は、水平面があることで、まず水平方向に進んでから、傾斜面に沿って傾斜方向に向きを変えながら流出していくことになり、風向の急激な変化が少なくなり、熱交換器の第１通路の最下方の通路での通風抵抗の増加を抑えることができ、風速分布が偏ることを抑え、分布の均一化をすることができ熱交換効率を向上でき、除湿能力を向上することができる。
【００２０】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して同一の部位については同一の符号を付して説明を省略している。さらに、各図面において、本発明に直接には関係しない各部の詳細については説明を省略している。
【００２１】
（実施の形態１）
図１は、本実施の形態にかかる除湿装置３の斜視図である。
【００２２】
除湿装置３は、箱型の本体ケース１を備えており、該本体ケース１によって除湿装置３の内外を区別される。この本体ケース１の背面側には、当該背面に対して垂直方向から空気を吸い込む空気吸込口２が配置されている。また前記背面の逆側である前方側の上部には、空気吹出口４が配置されている。
【００２３】
空気吸込口２は、略矩形の吸込面を有する吸込口２ａと、この吸込口２ａの上部及び左右部の三辺を周回し下方に開部を向けた略コの字形状の吸込面を有する吸込口２ｂとを備えている。  図２は、本実施の形態にかかる除湿装置３の図１のＡ−Ａにおける断面図である。
【００２４】
本体ケース１内には、本体ケース１内に取り込まれた空気を除湿するための除湿手段５と、前記空気吸込口２から吸い込んだ本体ケース１外の空気を、除湿手段５を通過させた後に空気吹出口４から本体ケース１外に吹き出す送風機６とを設けている。
【００２５】
除湿手段５は、圧縮機７と放熱器８と膨張器９と吸熱器１０とを順に連結した冷凍サイクルを備えている。
【００２６】
本体ケース１内の空気吸込口２から空気吹出口４への空気通路における空気吸込口２側（空気の流れ方向上流側）に吸熱器１０を設け、空気吹出口４側（空気の流れ方向下流側）に放熱器８を設けている。
【００２７】
また、吸熱器１０と放熱器８の間には空間を設け、この空間に顕熱交換タイプの熱交換器１１を配している。
【００２８】
つまり、除湿手段５は、空気吸込口２から吸い込んだ空気の一部分Ａ、つまり吸込口２ａから吸い込んだ空気を、吸熱器１０、熱交換器１１における第１通路、放熱器８を介して空気吹出口４から本体ケース１外に吹出す第１除湿経路４１を備えている。
【００２９】
また、本体ケース１内に、空気吸込口２から吸熱器１０の周囲を通過することで吸熱器１０からの冷却効果を受け、熱交換器１１に至る予冷風路を設けている。
【００３０】
つまり、除湿手段５は、第１除湿経路４１に加えて、前記空気吸込口２から吸い込んだ空気の他の部分Ｂ、即ち吸込口２ｂから吸い込んだ空気を、予冷風路、熱交換器１１における第２通路、放熱器８を介して空気吹出口４から本体ケース１外へ吹出す第２除湿経路５１を備えている。なお、予冷風路の詳細については後述する。
【００３１】
熱交換器１１は、第１除湿経路内開口部１７と第２除湿経路内開口部１８とを備えている。
【００３２】
第１除湿経路内開口部１７は、吸熱器１０側の上流側開口部１７ａと、放熱器８側の下流側開口部１７ｂとより成る。つまり第１除湿経路内開口部１７は、第１除湿経路４１内に設けられ、上流側にて熱交換器１１と吸熱器１０とを、下流側にて熱交換器１１と放熱器８とを連結する。
【００３３】
第２除湿経路内開口部１８は、予冷風路側の上流側開口部１８ａと、集水手段１２ａ側（鉛直下向き方向）の下流側開口部３０とより成る。つまり第２除湿経路内開口部１８は、第２除湿経路５１内に設けられ、上流側にて予冷風路と熱交換器１１とを、下流側にて熱交換器１１と放熱器８の下部とを連結する。集水手段１２ａは漏斗状であり、吸熱器１０及び熱交換器１１の下方に設けている。さらに、集水手段１２ａの下方には集水タンク１２ｂを、本体ケース１に対して着脱自在に配置している。
【００３４】
つまり、吸熱器１０、熱交換器１１部分で結露をさせ、その結露水を漏斗状の集水手段１２ａで集めて集水タンク１２ｂに流入させるようにしている。
【００３５】
続いて、図３を参照しながら予冷風路の詳細構造について説明する。なお図３は、吸熱器周辺の構成および風路の斜視図である。
【００３６】
図３に示すように、予冷風路６０は、吸込口２ｂの側部を起点として吸熱器１０の側面及び熱交換器１１の側面を経由して上流側開口部１８ａに至る風路６０ａと、吸込口２ｂの上部を起点として吸熱器１０の上面を経由して上流側開口部１８ａに至る風路６０ｂとから成る。
【００３７】
吸熱器１０の周囲、即ち上面及び両側面には風路壁８１が設けられている。
【００３８】
風路壁８１は、さらに両側面については隣接する熱交換器１１の同両側面にまで延長されている。つまり風路壁８１は、吸熱器１０から熱交換器１１までの間において、第１除湿経路４１と予冷風路６０との間の通風を遮断し、即ち予冷風路６０の内周壁面（第１除湿経路側の側面）を形成している。また、予冷風路６０の外周壁面は、本体ケース１の内面により形成される。風路壁８１は、少なくとも吸熱器１０の周囲の部分については第１除湿経路４１と予冷風路６０との間の熱授受が可能な材質、例えば、１〜３ミリ程度の薄い樹脂板または金属板としている。
【００３９】
吸熱器１０は、直管部１０１ａと屈曲部１０１ｂとで構成された冷媒配管１０１を有している。直管部１０１ａは、冷媒配管１０１を流れる冷媒の熱を吸熱器１０を通過する空気に伝えるための、平板状の複数枚の金属で形成されたフィンを有している。
【００４０】
吸熱器１０の直管部１０１ａおよびフィンは、風路壁８１で囲まれた内部空間に配されている。つまり、第１除湿経路４１を通過する前記空気の一部分Ａが直管部１０１ａおよびフィンの部分を通過するように設けられている。
【００４１】
一方、吸熱器１０の屈曲部１０１ｂは、吸熱器１０を囲む風路壁８１から予冷風路６０に突出して配されている。つまり、第２除湿経路５１の予冷風路６０を通過する空気の他の部分Ｂが吸熱器１０の周囲の風路壁８１と屈曲部１０１ｂの配管外壁を通過するように設けられている。
【００４２】
続いて、図４を参照しながら熱交換器１１の詳細構造について説明する。なお図４は、熱交換器の分解斜視図である。
【００４３】
熱交換器１１は、図４に示すように縦向き風路を作る合成樹脂製の板体１３と、横向き風路を作る合成樹脂製の板体１４を交互に複数枚重合させた構成となっている。
【００４４】
また、縦向き風路を作る合成樹脂製の板体１３表面には、縦方向に延びたリブ１５が所定間隔で複数本、板体１３と一体に形成されている。リブ１５の一面が隣接する板体１４の背面と密着することで、板体１３の表面とリブ１５と板体１４の背面とで縦向き風路を形成している。
【００４５】
同様に、横向き風路を作る合成樹脂製の板体１４表面には、間隔リブである横方向に延びたリブ１６が所定間隔で複数本、板体１４と一体に形成されている。リブ１６の一面が隣接する板体１３の背面と密着することで、板体１４の表面とリブ１６と板体１３の背面とで横向き風路を形成している。
【００４６】
縦向き風路と横向き風路は、互いの風路空間が独立しており、即ち空気の往来が無い。
【００４７】
そして、このようにして構成された熱交換器１１は、略直方体形状となっており、対向する長辺側（図３における左右の辺）に示すように、第１除湿経路内開口部１７が形成され、また、対向する短辺側（図３における上下の辺）に第２除湿経路内開口部１８が形成されている。さらに短辺側の下流側開口部３０は、第１除湿経路４１、即ち水平面に対して傾斜しており、その傾斜方向は下流側開口部３０の開口面が放熱器８側に向かう方向である。
【００４８】
次に、主に図２を参照しながら除湿装置の動作について説明する。
【００４９】
前記送風機６を駆動することによって空気吸込口２から本体ケース１内に吸い込まれた空気（吸込口２ａから吸い込んだ空気の一部分Ａ）は、前記吸熱器１０、熱交換器１１の上流側開口部１７ａ及び横向きの第１通路を通過し、下流側開口部１７ｂから放熱器８に取り込まれる。その後放熱器８、送風機６を介して空気吹出口４から本体ケース１外に吹き出される。つまり吸込口２ａから吸い込んだ空気の一部分Ａは第１除湿経路４１を経由して本体ケース１外に吹き出される。
【００５０】
そして、このような経路で流れる空気の一部分Ａは、先ずは、吸熱器１０で冷却されるので、ここで結露が発生し、当該結露水は下方に滴下し、漏斗状の集水手段１２ａで集められ、集水タンク１２ｂに流入させられる。
【００５１】
また、結露水を落とした後の乾燥した空気Ａは、次に、熱交換器１１の上流側開口部１７ａから横向きの第１通路を通過し、下流側開口部１７ｂを経て、放熱器８、送風機６を介して空気吹出口４から本体ケース１外に吹き出される。このようにして、室内の湿度低下を果たすことができる。
【００５２】
一方、前記送風機６を駆動することによって空気吸込口２から本体ケース１内に吸い込まれた空気（吸込口２ｂから吸い込んだ空気の他の部分Ｂ）は、熱交換器１１の上流側開口部１８ａから縦向きの第２通路を通過し、下流側開口部３０、放熱器８、送風機６を介して空気吹出口４から本体ケース１外に吹き出される。つまり吸込口２ｂから吸い込んだ空気の他の部分Ｂは第２除湿経路５１を経由して本体ケース１外に吹き出される。なお下流側開口部３０は上述のように放熱器８側に向かって傾斜しているため、下流側開口部３０からでた空気Ｂはスムーズに放熱器８に流れる。
【００５３】
熱交換器１１の横向きの第１通路（空気の一部分Ａが通過する通路）と、縦向きの第２通路（空気の他の部分Ｂが通過する通路）が交差する構成となっているので、前記第１通路を流れる空気（空気の一部分Ａ）と、第２通路を流れる空気（空気の他の部分Ｂ）とは、熱交換を行うことが可能となっている。
【００５４】
ここで熱交換器１１の横向きの第１通路を流れる空気の一部分Ａは、吸熱器１０を通過することにより冷却されている。したがって、空気の一部分Ａは、熱交換器１１による熱交換作用により、吸熱器１０を通過していない第２通路を流れる空気の他の部分Ｂの温度を低下させることができる。
【００５５】
また、予冷風路６０を通過する空気の他の部分Ｂは、風路壁８１を介して吸熱器１０の冷却効果を受ける。さらに、屈曲部１０１ｂによる冷却効果も受ける。これは、屈曲部１０１ｂには室温よりも温度の低い冷媒が通過しているので、予冷風路６０に突出している吸熱器１０の屈曲部１０１ｂの外部の空気温度が低下するからである。これにより、予冷風路６０を通過する空気の他の部分Ｂの温度は、結露が生じる露点温度付近まで冷却される。
【００５６】
露点温度付近まで冷却された空気の他の部分Ｂは、熱交換器１１の第２通路に流入する。熱交換器１１に流入した空気の他の部分Ｂは、熱交換器１１の熱交換作用による冷却効果を受け、露点温度以下まで温度が下がる。露点温度以下まで下がった空気の他の部分Ｂは、熱交換器１１の第２通路にて結露を生じる。
【００５７】
ここで従来の構成では、熱交換器１１に流入する空気は室温であって露点温度まで空気を冷却しないと結露を生じないため、熱交換器１１による冷却が始まる熱交換器１１の空気入口（上流側開口部１８ａ）付近には結露を生じないものであった。しかし本実施の形態にかかる構成では、熱交換器１１の第２通路に流入する空気の他の部分Ｂは、予冷風路６０を通過することにより露点温度付近まで冷却されているので、熱交換器１１の第２通路の空気入口（上流側開口部１８ａ）においても結露を生じることができる。
【００５８】
それにより、熱交換器１１を通過する際に空気の他の部分Ｂが受ける冷熱の大部分を、前記空気の他の部分Ｂの顕熱除去ではなくて潜熱除去、すなわち結露に有効活用できるようになる。結果として、熱交換器１１における結露量を増加させることができるので、本実施の形態にかかる構成の除湿装置は、除湿効果をより高めることができるものである。
【００５９】
また、前記空気の他の部分Ｂが吸い込まれる吸込口２ｂを空気の一部分Ａが吸い込まれる吸込口２ａに隣接する外周側に設けている。したがって吸込口２ａに吸い込まれる空気の誘引効果により吸込口２ｂから吸い込まれる空気の流入量を増加させることができる。すなわち、図５に示すように、吸込口２ａに吸い込まれる空気流により本体ケース１の外部から吸込口２ａに向かう空気流９０が形成され、この空気流９０の周囲には空気の粘性により誘引される誘引流９１が形成される。この誘引流９１を吸込口２ａの外周側に設けた吸込口２ｂから吸込むことで第２除湿経路はより多くの空気を吸い込むことができる。したがって、第２除湿経路を通過する風量が増加し、熱交換器１１における結露量が増加するので、除湿効果をより高めることができる。また言い換えると、同一の除湿効果であれば除湿装置の小型化を図ることができる。
【００６０】
以上の説明により、基本的な構成及び動作が理解されたところで、具体的な構成について以下、説明する。
【００６１】
図６は、本発明の実施の形態にかかる除湿装置３の熱交換器１１の展開図である。図４、図６に示すように、熱交換器１１は、伝熱板である薄板状の板体１３、１４を所定の間隔で複数枚積層し、伝熱板の積層間隙に室内空気と吸熱器出口空気を交互に流して第１通路と第２通路を形成している。熱交換器１１は、伝熱板の各々を積層方向へ押し当てる収納部７０を備えている。
【００６２】
収納部７０は、具体的には、ケース７１とカバー７２とを備えている。熱交換器１１は伝熱板を複数枚積層した状態でケース７１に収納され、カバー７２により蓋をされ、ケース７１とカバー７２を固定することにより収納部７０に固定される。
【００６３】
図７は、本発明の実施の形態にかかる除湿装置３の吸熱器、熱交換器、放熱器周辺の構成図である。図７に示すように、収納部７０に収納された熱交換器１１は、吸熱器１０と放熱器８の間に固定される。
【００６４】
本実施形態における特徴は、熱交換器１１である。熱交換器１１は、伝熱板と一体形成した複数の間隔リブによって伝熱板の積層間隔を保持し、間隔リブにより風路の風速分布を均一化するものである。間隔リブは、リブ１５とリブ１６である。リブ１５は、本体ケース１における上下方向に延びると共に、本体ケース１における前後方向に複数並んでいる。リブ１６は、本体ケース１における左右方向に延びと共に、本体ケース１における上下方向に複数並んでいる。
【００６５】
熱交換器１１は、熱交換器１１の底部を水平より下方へ傾斜させた傾斜面７３を有し、第２通路を形成する上下方向に並んだ複数の間隔リブであるリブ１６の設置ピッチを下方になるにしたがって広げたものである。
【００６６】
図８は、本発明の実施の形態にかかる除湿装置３の図７のＢ−Ｂ断面図である。図８に示すように、熱交換器１１には、熱交換器１１の第２通路に結露した水滴が滴下してきて、底面でブリッジして風路を塞ぎ風路抵抗とならないように熱交換器底面に傾斜面７３を設けている。
【００６７】
傾斜面７３があることにより、第１通路では、熱交換器１１の下方に行くほど、熱交換器１１内部の風路長が長くなり抵抗が増えることになる。すなわち、第１風路においては、上部の方が風量は多くなり、下方に行くほど風量は少なくなる。このような分布ができてしまうと、熱交換においても均一に熱交換がなされず、トータルとしては熱交換効率が低下してしまう。
【００６８】
このような風量分布の不均一を解消するため、下方に行くほど間隔リブであるリブ１６の設置ピッチを広げることにより、風路幅を広げ、風速分布を均一化することができ、熱交換効率を向上でき、除湿能力を向上することができる。
【００６９】
また、熱交換器１１の底部を水平より下方へ傾斜させた傾斜面７３を有し、傾斜面７３の最下部に水平面７４を設けている。
【００７０】
これにより、第１除湿経路において吸熱器１０から熱交換器１１に流入してきた空気は、水平面７４があることで、まず水平方向に進んでから、傾斜面７３に沿って傾斜方向に向きを変えながら流出していくことになり、風向の急激な変化が少なくなり、熱交換器１１の第１通路の最下方の通路での通風抵抗の増加を抑えることができ、風速分布が偏ることを抑え、分布の均一化をすることができ熱交換効率を向上でき、除湿能力を向上することができる。
【００７１】
さらに、この水平面７４は、収納部７０であるカバー７２から突出する熱交換器当接部７５に当接される。熱交換器当接部７５は垂直方向と水平方向から熱交換器１１を支えるものであり、第１除湿経路４１と第２除湿経路５１の風路の仕切りを行う作用を有する。熱交換器１１の底面に水平面７４があることで当接面積が増え、より確実に当接することができ、この熱交換器当接部７５により、第１除湿経路４１と第２除湿経路５１の風路の仕切りを確実に行うことができる。すなわち、風漏れを抑制することにより、各要素部品に必要な風量を確実に確保することができ、除湿効率の低下を抑制し、除湿効率の高い除湿装置を提供することができる。
【産業上の利用可能性】
【００７２】
本発明にかかる除湿装置は、より高い除湿効果をもたらすものであるため、室内空気の除湿や衣類の乾燥用途として極めて有用なものである。
【符号の説明】
【００７３】
１    本体ケース
２    空気吸込口
３    除湿装置
４    空気吹出口
５    除湿手段
６    送風機
７    圧縮機
８    放熱器
９    膨張器
１０    吸熱器
１１    熱交換器
１２ａ    集水手段
１２ｂ    集水タンク
１３    板体
１４    板体
１５    リブ
１６    リブ
１７    第１除湿経路内開口部
１７ａ    上流側開口部
１７ｂ    下流側開口部
１８    第２除湿経路内開口部
１８ａ    上流側開口部
３０    下流側開口部
４１    第１除湿経路
５１    第２除湿経路
６０    予冷風路
７０    収納部
７１    ケース
７２    カバー
７３    傾斜面
７４    水平面
７５    熱交換器当接部
９０    空気流
９１    誘引流
１０１    冷媒配管
１０１ａ    直管部
１０１ｂ    屈曲部
【図１】
0006646806.tif 000002
【図２】
0006646806.tif 000003
【図３】
0006646806.tif 000004
【図４】
0006646806.tif 000005
【図５】
0006646806.tif 000006
【図６】
0006646806.tif 000007
【図７】
0006646806.tif 000008
【図８】
0006646806.tif 000009